(57)【特許請求の範囲】
【請求項１】
表示部と、前記表示部が表示する画面に対するユーザー操作を受け付ける操作部と、設定値を変更することが可能な複数の設定項目の設定値を設定するための動作モードとして、通常設定モードおよびウィザード形式設定モードを有する設定部であって、前記通常設定モードでは、前記複数の設定項目の設定値を設定するための通常設定画面を前記表示部に表示させるとともに、当該通常設定画面において前記操作部が受け付けたユーザー操作に基づいて前記複数の設定項目の設定値に対する設定を受け付け、前記ウィザード形式設定モードでは、前記複数の設定項目のうち予め定められた基本設定項目の設定値をウィザード形式で順次設定するための複数のウィザード画面を前記表示部に表示させるとともに、当該ウィザード画面において前記操作部が受け付けたユーザー操作に基づいて前記基本設定項目の設定値に対する設定を受け付ける設定部と、前記設定部が受け付けた設定値を用いて処理を実行する処理実行部と、を備える情報処理装置において、
前記通常設定モードにおける前記通常設定画面において設定値が変更された回数を前記設定項目毎に計数しておく変更回数計数部と、
前記複数の設定項目のうち前記基本設定項目を除く設定項目について、前記変更回数計数部により計数された回数が予め定められた回数よりも多い設定項目を特定する特定部と、を備え、
前記設定部は、更に、前記ウィザード形式設定モードにおいて、前記基本設定項目の設定値を設定するためのウィザード画面に加えて、前記特定部が特定した設定項目の設定値を設定するためのウィザード画面を前記表示部に表示させる、情報処理装置。
【請求項２】
前記設定部は、前記ウィザード形式設定モードにおいて、前記基本設定項目の設定値を設定するためのウィザード画面を前記表示部に表示させた後に、前記特定部が特定した設定項目の設定値を設定するためのウィザード画面を前記表示部に表示させる、請求項１に記載の情報処理装置。
【請求項３】
前記設定部は、前記特定部により特定された設定項目が複数ある場合、当該各設定項目の設定値を設定するためのウィザード画面を、前記変更回数計数部により計数された回数が多い順に前記表示部に表示させる、請求項２に記載の情報処理装置。
【請求項４】
前記設定部は、前記各基本設定項目の設定値を設定するためのウィザード画面を、前記変更回数計数部により計数された回数が多い順に前記表示部に表示させる、請求項１乃至請求項３の何れか１項に記載の情報処理装置。
【請求項５】
前記特定部は、更に、前記基本設定項目について、前記変更回数計数部により計数された回数が予め定められた回数よりも少ない基本設定項目を特定し、
前記設定部は、更に、前記ウィザード形式設定モードにおいて、前記特定部が特定した基本設定項目の設定値を設定するためのウィザード画面を前記表示部に表示させない、請求項１乃至請求項４の何れか１項に記載の情報処理装置。
【請求項６】
前記設定部は、動作モードをウィザード形式設定モードから通常設定モードに変更する指示を受け付けるためのボタンを前記ウィザード画面に含め、前記操作部が当該ボタンを選択するユーザー操作を受け付けた場合には、前記ウィザード形式設定モードにおいて設定された設定値を初期値として示した通常設定画面を前記表示部に表示させる、請求項１乃至請求項５に記載の情報処理装置。
【請求項７】
前記設定部は、前記ウィザード形式設定モードにおいて最後に前記表示部に表示されるウィザード画面に前記ボタンを含め、それ以外のウィザード画面には前記ボタンを含めない、請求項６に記載の情報処理装置。
【請求項８】
前記変更回数計数部は、現在の時刻から予め定められた時間前までの間に前記通常設定画面において設定値が変更された回数を計数する、請求項１乃至請求項７の何れか１項に記載の情報処理装置。
【発明の詳細な説明】
【技術分野】
【０００１】
本発明は情報処理装置に関し、特に、設定項目の設定値をウィザード形式で設定する技術に関する。
【背景技術】
【０００２】
画像形成装置などの情報処理装置では、ユーザーが様々な設定項目の設定値を設定することができる。例えば、画像形成装置では、コピー枚数、コピー倍率、印刷用紙などの設定項目の設定値を設定することができる。ユーザーは、これらの設定項目の設定値を適切な値に設定することで、所望の内容でコピーなどを行うことができる。
【０００３】
ここで、複数の設定項目の設定値を設定する方法として、所謂ウィザード形式による設定方法がある（例えば、下記の特許文献１参照）。ウィザード形式による設定方法では、各設定項目の設定値を設定させるための複数のウィザード画面を順次表示する。ユーザーは順次表示されるウィザード画面に従って操作を行うことにより、複数の設定項目の設定値の設定が完了する。このように、ウィザード形式による設定方法では、ユーザーが対話形式で操作を進めていくことで複数の設定項目の設定を行うことができるため、複数の設定項目の設定を簡易なものにすることができる。
【先行技術文献】
【特許文献】
【０００４】
【特許文献１】特開２０１１−１５９０４５号公報
【発明の概要】
【発明が解決しようとする課題】
【０００５】
ウィザード形式による設定方法ではウィザード画面を順次表示するため、表示するウィザード画面の数が多いとユーザーに煩わしいものとなってしまう。このため一般には、ウィザード形式による設定方法で設定できる設定項目は、基本的な設定項目についてのみに限られている。
【０００６】
しかしながら、頻繁に変更する設定項目はユーザー毎に異なる。このため、ウィザード形式による設定方法で基本的な設定項目しか設定できず、頻繁に変更する設定項目を設定できないのでは、ユーザー利便性に欠ける。また、ユーザーが選択した設定項目を、ウィザード形式による設定で設定する設定項目に追加することが考えられるが、この場合、ユーザーが追加する設定項目を選択するという作業が必要となり、ユーザーにとって煩わしいものとなる。
【０００７】
本発明は、上記の事情に鑑みなされたものであり、簡易な操作で、ユーザーが頻繁に変更する設定項目についてウィザード形式による設定方法で設定することを可能にすることを目的とする。
【課題を解決するための手段】
【０００８】
本発明の一局面にかかる情報処理装置は、表示部と、前記表示部が表示する画面に対するユーザー操作を受け付ける操作部と、設定値を変更することが可能な複数の設定項目の設定値を設定するための動作モードとして、通常設定モードおよびウィザード形式設定モードを有する設定部であって、前記通常設定モードでは、前記複数の設定項目の設定値を設定するための通常設定画面を前記表示部に表示させるとともに、当該通常設定画面において前記操作部が受け付けたユーザー操作に基づいて前記複数の設定項目の設定値に対する設定を受け付け、前記ウィザード形式設定モードでは、前記複数の設定項目のうち予め定められた基本設定項目の設定値をウィザード形式で順次設定するための複数のウィザード画面を前記表示部に表示させるとともに、当該ウィザード画面において前記操作部が受け付けたユーザー操作に基づいて前記基本設定項目の設定値に対する設定を受け付ける設定部と、前記設定部が受け付けた設定値を用いて処理を実行する処理実行部と、を備える情報処理装置において、前記通常設定モードにおける前記通常設定画面において設定値が変更された回数を前記設定項目毎に計数しておく変更回数計数部と、前記複数の設定項目のうち前記基本設定項目を除く設定項目について、前記変更回数計数部により計数された回数が予め定められた回数よりも多い設定項目を特定する特定部と、を備え、前記設定部は、更に、前記ウィザード形式設定モードにおいて、前記基本設定項目の設定値を設定するためのウィザード画面に加えて、前記特定部が特定した設定項目の設定値を設定するためのウィザード画面を前記表示部に表示させる、情報処理装置である。
【発明の効果】
【０００９】
上記の本発明によれば、簡易な操作で、ユーザーが頻繁に変更する設定項目についてウィザード形式による設定方法で設定することができる。
【図面の簡単な説明】
【００１０】
【図１】本発明の一実施形態にかかる情報処理装置の一例としての画像形成装置の外観を示す斜視図である。
【図２】本発明の一実施形態にかかる情報処理装置の一例としての画像形成装置の内部構成を示すブロック図である。
【図３】（Ａ）は、本発明の一実施形態にかかる情報処理装置の一例としての画像形成装置の表示部が表示する機能選択画面の一例を示す図であり、（Ｂ）は、本発明の一実施形態にかかる情報処理装置の一例としての画像形成装置の表示部が表示する設定方法選択画面の一例を示す図である。
【図４】本発明の一実施形態にかかる情報処理装置の一例としての画像形成装置の表示部が表示する通常設定画面の一例を示す図である。
【図５】（Ａ）および（Ｂ）は、本発明の一実施形態にかかる情報処理装置の一例としての画像形成装置の表示部が表示するウィザード画面の一例を示す図である。
【図６】本発明の一実施形態にかかる情報処理装置の一例としての画像形成装置の記憶部に記憶されるデータの一例を示す図である。
【図７】（Ａ）および（Ｂ）は、ウィザード形式による設定で表示部に表示されるウィザード画面の順序の一例を示す図である。
【図８】本発明の一実施形態にかかる情報処理装置の一例としての画像形成装置の動作の流れを示すフローチャートである。
【図９】変形例にかかる画像形成装置の表示部に表示されるウィザード画面の一例を示す図である。
【発明を実施するための形態】
【００１１】
以下、本発明の一実施形態にかかる情報処理装置の一例としての画像形成装置について図面を参照して説明する。図１は、画像形成装置の外観を示す斜視図である。図２は、画像形成装置の内部構成を示すブロック図である。
【００１２】
画像形成装置１は、ファクシミリ通信機能、コピー機能、プリンター機能、およびスキャナー機能などの複数の機能を兼ね備えた複合機である。図１に示すように、画像形成装置１は、装置本体２と、装置本体２の上方に配置された画像読取部１０と、画像読取部１０と装置本体２との間に設けられた連結部３とから概略構成される。
【００１３】
画像読取部１０は、原稿搬送部１１と、原稿搬送部１１により搬送されてくる原稿または不図示のコンタクトガラスに載置された原稿を光学的に読み取るスキャナーとを有するＡＤＦ（Auto Document Feeder）である。画像読取部１０は、原稿を１枚ずつ読み取ることで画像形成対象となる画像データを取得する。
【００１４】
装置本体２の内部には、画像形成部２０、給紙部３０、画像メモリー４０、記憶部５０、および通信部６０などが収容されている。
【００１５】
画像メモリー４０は、画像読取部１０によって読み取られた画像データを一時的に記憶する領域である。
【００１６】
画像形成部２０は、画像メモリー４０に記憶されている画像データを読み出し、当該データを用いて給紙部３０から供給される用紙に画像を形成（印刷）する。印刷済みの用紙は、排出トレイ４に排出される。
【００１７】
記憶部５０は、ＨＤＤ（Hard Disk Drive）などの大容量の記憶装置である。
【００１８】
通信部６０は、不図示のＬＡＮチップなどの通信モジュールを備える通信インターフェイスである。画像形成装置１は、ネットワークを介して他のＰＣ（Personal Computer）などと接続されており、通信部６０により接続されたＰＣなどとの間でデータの送受信を行う。
【００１９】
装置本体２の前面側には、表示部７０および操作部８０が配置されている。表示部７０は、液晶ディスプレイ（ＬＣＤ：Liquid Crystal Display）や有機ＥＬ（ＯＬＥＤ：Organic Light-Emitting Diode）ディスプレイを含んで構成される。表示部７０には、例えば、画像形成装置１において設定値を設定することが可能な複数の設定項目の一覧を表示する設定画面などが表示される。
【００２０】
操作部８０は、例えば、印刷ジョブなどの実行を指示するためのスタートキー、設定画面を構成するＧＵＩ（Graphical User Interface）に対して確定操作を行う決定キー（エンターキー）、数値入力を行うための数値入力キー等を備え、表示部７０に表示される画面に対する操作をユーザーから受け付ける。
【００２１】
画像形成装置１は、更に、制御ユニット１００を備えている。制御ユニット１００は、ＣＰＵ(Central Processing Unit)、ＲＡＭ（Random Access Memory）、及びＲＯＭ（Read Only Memory）等から構成される。制御ユニット１００は、上記のＲＯＭ又は記憶部５０に記憶された情報処理プログラム等の制御プログラムが上記のＣＰＵに実行されることにより、制御部１０１、設定部１０２、変更回数計数部１０３、および特定部１０４として機能する。なお、制御ユニット１００の上記の各構成は、前述の制御プログラムに基づく動作によらず、それぞれハード回路により構成されてもよい。
【００２２】
制御部１０１は、画像形成装置１の全体的な動作制御を司る。制御部１０１は、画像読取部１０、画像形成部２０、給紙部３０、画像メモリー４０、記憶部５０、通信部６０、表示部７０、および操作部８０などと接続されており、接続されている上記各機構の動作制御や、各機構との間での信号又はデータの送受信を行う。特に制御部１０１は、後述する設定部１０２が受け付けた設定値を用いてコピー処理などの処理を実行する処理実行部として機能する。
【００２３】
設定部１０２は、表示部７０に設定画面などを表示させる機能、および表示部７０に表示させた設定画面において操作部８０が受け付けたユーザー操作に基づき、設定項目の設定値に対する設定（変更）を受け付ける機能を有する。また、設定部１０２は、複数の設定項目の設定値を設定するための動作モードとして、通常設定モードおよびウィザード形式設定モードを有する。
【００２４】
図３（Ａ）は、表示部７０が表示する機能選択画面Ｄ１の一例を示す図である。図３（Ａ）に示す例では、画像形成装置１が有する機能として、コピー機能、スキャン機能、ＦＡＸ送信機能、ＢＯＸ保存機能が示されており、各機能に対応する複数のボタンｄ１〜ｄ４が機能選択画面Ｄ１に配置されている。操作部８０がコピー機能に対応付けられたボタンｄ１の選択操作を受け付けた場合、設定部１０２による制御の下、図３（Ｂ）に示す設定方法選択画面Ｄ２が表示部７０に表示される。
【００２５】
設定方法選択画面Ｄ２には、画像形成装置１がコピー機能を実行する際の設定（コピー設定）を設定する方法として、ウィザード形式による設定と通常設定画面による設定とが示されている。
【００２６】
操作部８０が設定方法選択画面Ｄ２においてボタンｄ６の選択操作を受け付けた場合、設定部１０２の動作モードは、通常設定モードとなる。当該通常動作モードにおいて、設定部１０２は、表示部７０に通常設定画面Ｄ３を表示させる（図４参照）。通常設定画面Ｄ３は、画像形成装置１において設定値を設定することが可能な複数の設定項目のそれぞれについてその設定値を設定させるための画面である。図４に示す例では、印刷品質に関する設定項目が表示部７０に示されている。設定部１０２は、通常設定画面Ｄ３に対して入力されたユーザー操作に基づいて、各設定項目の設定値に対する設定を受け付ける。このようにユーザーは、当該通常設定画面Ｄ３において、各設定項目の設定値を適切な値に設定することで、所望の内容でコピーを行うことができる。
【００２７】
一方、操作部８０が設定方法選択画面Ｄ２においてボタンｄ５の選択操作を受け付けた場合、設定部１０２の動作モードは、ウィザード形式設定モードとなる。当該ウィザード形式設定モードにおいて、設定部１０２は、表示部７０にウィザード画面Ｄ４を表示させる（図５（Ａ）参照）。ウィザード画面Ｄ４は、通常設定画面Ｄ３に示された複数の設定項目のうち予め定められた基本設定項目の設定値をウィザード形式で順次設定させるための画面である。図５（Ａ）に示す例では、ウィザード画面Ｄ４に、コピー部数の基本設定項目について設定値を設定させるためのダイアログｄ７が配置されている。また、ウィザード画面Ｄ４には、次のウィザード画面に遷移するためのボタンｄ８が配置されている。操作部８０がウィザード画面Ｄ４においてボタンｄ８の選択操作を受け付けた場合、設定部１０２は、表示部７０にウィザード画面Ｄ５を表示させる（図５（Ｂ）参照）。ウィザード画面Ｄ５は、コピー倍率の基本設定について設定値を設定させるためのダイアログｄ９、前のウィザード画面に遷移するためのボタンｄ１０、および次のウィザード画面に遷移するためのボタンｄ１１が配置されている。設定部１０２は、ウィザード画面Ｄ４、Ｄ５等に対して入力されたユーザー操作に基づいて、基本設定項目の設定値に対する設定を順次受け付ける。このようにウィザード形式による設定方法では、ユーザーが対話形式で操作を進めていくことで基本設定項目の設定を簡易に行うことができる。
【００２８】
図２に戻って、変更回数計数部１０３は、通常設定モードにおいて設定値が変更された回数を設定項目毎に計数する機能を有する。変更回数計数部１０３は、計数した回数を記憶部５０に記憶させる。
【００２９】
図６は、記憶部５０に記憶されるデータの一例を示す図である。本図に示すように、記憶部５０には、設定項目毎に通常設定モードにおいて設定値が変更された回数が記憶されている。
【００３０】
また、記憶部５０には、設定項目毎にその設定項目が基本設定項目であるか、または通常設定項目であるかが示されている。ここで基本設定項目とは、画像形成装置１において設定値を設定することが可能な複数の設定項目うち、ウィザード形式による設定方法で設定される設定項目である。一方、通常設定項目とは、画像形成装置１において設定値を設定することが可能な複数の設定項目うち、前述の基本設定項目を除く設定項目である。設定部１０２は、記憶部５０に記憶された当該データを参照して、ウィザード形式による設定で設定する設定項目を特定する。
【００３１】
図２に戻って、特定部１０４は、通常設定項目について、前述の変更回数計数部１０３により計数された回数が予め定められた回数よりも多い設定項目を、ウィザード形式による設定で設定値を設定させる対象に追加する項目（追加設定項目）として特定する機能を有する。予め定められた回数が「４０」である場合、図６に示す例では、エコプリント設定および集約設定が追加設定項目として特定される。設定部１０２は、特定部１０４により特定された追加設定項目の設定値をウィザード形式で設定値を設定させる対象に追加する。すなわちこの場合、予め定められた基本設定項目に加えて追加設定項目の設定値がウィザード形式で設定されることになる。
【００３２】
図７（Ａ）は、ウィザード形式による設定において、表示部７０に表示されるウィザード画面の順序の一例を示す図である。図７（Ａ）に示す例では、コピー部数設定、コピー倍率設定、印刷用紙設定、および片面印刷／両面印刷設定が基本設定とされ、当該基本設定が予め定められた順序で表示部７０に表示されるように設定されている。
【００３３】
図７（Ｂ）は、ウィザード形式による設定において、追加設定項目が表示部７０に表示される順序の一例を示す図である。図７（Ｂ）に示すように、設定部１０２は、追加設定項目の設定値を設定させるウィザード画面を、基本設定項目の設定値を設定させるウィザード画面の後に表示部７０に表示させる。また、図７（Ｂ）に示す例では追加設定項目が複数（２つ）あるが、この場合、設定部１０２は、変更回数計数部１０３により回数された回数が多い順にウィザード画面を表示部７０に表示させる。図６に示す例では、エコプリント設定に対する変更回数が「５０」であり、集約設定に対する変更回数「６０」であるため、設定部１０２は、表示部７０に集約設定の設定値を設定するためのウィザード画面を先に表示させ、その後にエコプリント設定の設定値を設定するためのウィザード画面を表示させる。
【００３４】
以上が画像形成装置１の構成についての説明である。続いて、上記の構成を備える画像形成装置１の具体的な動作の流れについて説明する。図８は、画像形成装置１の動作の流れを示すフローチャートである。
【００３５】
画像形成装置１の設定部１０２は、表示部７０に図３（Ａ）に示す機能選択画面Ｄ１を表示させる（ステップＳ１）。
【００３６】
機能選択画面Ｄ１において操作部８０がユーザーによる機能の選択操作を受け付けた場合（ステップＳ２においてＹＥＳ）、設定部１０２は、表示部７０に図３（Ｂ）に示す設定方法選択画面Ｄ２を表示させる（ステップＳ３）。
【００３７】
設定方法選択画面Ｄ２において操作部８０が通常設定画面による設定の選択操作を受け付けた場合（ステップＳ４においてＮＯ）、設定部１０２は、表示部７０に図４に示す通常設定画面Ｄ３を表示させる（ステップＳ５）。
【００３８】
そして、通常設定画面Ｄ３において設定値の変更を受け付けた場合（ステップＳ６においてＹＥＳ）、設定部１０２は、変更後の設定値を記憶部５０に記憶させる（ステップＳ７）。また、変更回数計数部１０３は、ステップＳ６の処理で受け付けた設定項目の変更回数を計数する（ステップＳ８）。具体的には、変更回数計数部１０３は、記憶部５０に記憶されている設定項目の変更回数を１つだけ増やした変更回数に書き換える。上記のステップＳ６〜Ｓ８の処理を、通常設定画面Ｄ３による設定が完了する（ステップＳ９においてＹＥＳ）まで繰り返し行う。
【００３９】
一方、設定方法選択画面Ｄ２においてウィザード形式による設定が選択された場合（ステップＳ４においてＹＥＳ）、特定部１０４は、記憶部５０に記憶されている通常設定項目の変更回数を参照して、追加設定項目を特定する処理を行う（ステップＳ１０）。そして、設定部１０２は、ステップＳ１０の処理で特定された追加設定項目を設定するウィザード画面を生成する（ステップＳ１１）。また、設定部１０２は、ウィザード形式による設定においてウィザード画面を表示する順番を決定する。
【００４０】
ステップＳ１１の処理後、設定部１０２は、基本設定項目を設定するためのウィザード画面のうち、一番始めに表示するように予め設定されたウィザード画面を表示部７０に表示させる（ステップＳ１２）。
【００４１】
当該ウィザード画面において設定値の変更を受け付けた場合（ステップＳ１３においてＹＥＳ）、設定部１０２は、変更後の設定値を記憶部５０に記憶させる（ステップＳ１４）。
【００４２】
また、ウィザード画面において次のウィザード画面への遷移指示を受け付けた場合（ステップＳ１５においてＹＥＳ）、設定部１０２は、次のウィザード画面を表示部７０に表示させ（ステップＳ１６）、ステップＳ１３の処理に戻る。
【００４３】
ウィザード形式による設定において最後に表示されるウィザード画面において設定値の変更がなされた場合、ウィザード形式による設定が完了する（ステップＳ１７においてＹＥＳ）。
【００４４】
上記の設定値の設定完了後に機能実行指示がなされた場合（ステップＳ１８においてＹＥＳ）、制御部１０１は、記憶部５０に記憶された変更後の設定で機能を実行する（ステップＳ１９）。
【００４５】
以上のように、画像形成装置１によれば、通常設定画面において変更された設定項目の変更回数を計数し、当該変更回数を解析することで、ユーザーが頻繁に変更する設定項目を特定することができる。そして、設定部１０２により特定した設定項目をウィザード形式で設定値を設定させる対象に追加することで、ユーザーが追加する設定項目を選択するという作業を行わなくとも、ユーザーが頻繁に変更する設定項目についてウィザード形式による設定方法で設定することが可能となる。
【００４６】
なお、本発明は、上記の実施の形態の構成に限られず種々の変形が可能である。
【００４７】
＜変形例１＞
図９は、変形例１にかかる画像形成装置の表示部７０に表示されるウィザード画面の一例を示す図である。図９に示されるウィザード画面Ｄ６は、ウィザード形式による設定で最後に表示されるウィザード画面である。ウィザード画面Ｄ６には、エコプリント設定についての設定値を設定させるためのダイアログｄ１２に加えて、表示部７０が表示する表示画面をウィザード画面から通常設定画面に変更する指示を受け付けるためのボタン（ＧＵＩ）ｄ１３が配置されている。
【００４８】
ウィザード画面Ｄ６において上記のボタンｄ１３の選択操作がなされた場合、設定部１０２は、表示部７０が表示する表示画面を、図９に示すウィザード画面Ｄ６から図４に示す通常設定画面Ｄ３に変更する。このとき、設定部１０２は、ウィザード形式による設定で設定された設定値を初期値とした通常設定画面Ｄ３を表示部７０に表示させる。
【００４９】
このように変形例１にかかる画像形成装置によれば、簡易な操作でウィザード画面から通常設定画面に遷移することができる。また、変形例１にかかる画像形成装置によれば、ウィザード画面において設定した設定値が保存された状態で、通常設定画面において設定の続きの作業を行うことができる。
【００５０】
なお、設定部１０２は、ウィザード形式での設定において最後に表示部７０に表示されるウィザード画面に前述のボタンｄ１３を含め、それ以外のウィザード画面にはボタンｄ１３を含めないようにしてもよい。
【００５１】
＜変形例２＞
上記の実施の形態にかかる画像形成装置１では、基本設定項目の設定値を設定させるウィザード画面を予め定められた順序で表示部７０に表示させる場合を説明した。これに対して変形例２にかかる画像形成装置では、設定部１０２が、基本設定項目の設定値を設定させるウィザード画面を、変更回数計数部１０３により計数された回数が多い順に表示部７０に表示させる。これにより変形例２にかかる画像形成装置では、ウィザード形式による設定において、ユーザーが頻繁に変更する基本設定項目を早い順序で設定することが可能になる。
【００５２】
＜変形例３＞
変形例３にかかる画像形成装置では、特定部１０４が、基本設定項目について、変更回数計数部１０３により計数された回数が予め定められた回数よりも少ない基本設定項目を特定する。そして、設定部１０２は、特定部１０４が特定した基本設定項目の設定値をウィザード形式で設定値を設定させる対象から除外する。例えば、予め定められた回数が「１０」である場合、図６に示す例では、印刷用紙設定が削除対象の設定項目として特定される。このように、変形例３にかかる画像形成装置では、ユーザーが変更することが少ない基本設定項目をウィザード形式により設定する対象から除くことができる。
【００５３】
＜変形例４＞
変形例４にかかる画像形成装置では、変更回数計数部１０３が、現在の時刻から予め定められた時間前までの間に通常設定画面において設定値が変更された回数を計数する。すなわち、特定部１０４が追加設定項目を特定するときに参照するデータを、現在の時刻から予め定められた時間前までの間の期間において設定値が変更された変更回数にのみに限定している。特定部１０４は、現在の時刻から予め定められた時間前までの間の期間以外の期間において設定値が変更された変更回数を、特定部１０４が追加設定項目を特定するときに用いない。ユーザーが頻繁に変更する設定項目は期間によって変わる場合があるが、変形例４にかかる画像形成装置では、直近の期間において設定値が変更された回数に基づいて追加設定項目を特定するため、より精度よくユーザーが頻繁に変更する設定項目を特定することができる。
【００５４】
＜その他の変形例＞
上記の実施の形態では、情報処理装置の一例として画像形成装置を示したが本発明は必ずしもこの場合に限定されない。本発明の一実施形態にかかる情報処理装置は、画像形成装置の他に、例えば、タブレット端末やスマートフォン等の携帯端末、パーソナルコンピューター等に適応することができる。
【００５５】
また、上記の実施の形態で説明した制御プログラムをコンピューター読み取り可能な非一時的な記録媒体、例えば、ハードディスク、ＣＤ−ＲＯＭ、ＤＶＤ−ＲＯＭ、半導体メモリーなどに記録されたものとしてもよい。この場合、当該制御プログラムを記録したコンピューター読み取り可能な非一時的な記録媒体が、本発明の一実施形態となる。
【符号の説明】
【００５６】
１      画像形成装置
２０    画像形成部
５０    記憶部
７０    表示部
８０    操作部
１００  制御ユニット
１０１  制御部
１０２  設定部
１０３  変更回数計数部
１０４  特定部
【図１】
0006296020.tif 000002
【図２】
0006296020.tif 000003
【図３】
0006296020.tif 000004
【図４】
0006296020.tif 000005
【図５】
0006296020.tif 000006
【図６】
0006296020.tif 000007
【図７】
0006296020.tif 000008
【図８】
0006296020.tif 000009
【図９】
0006296020.tif 000010